(57)【特許請求の範囲】
【請求項１】
シンクの開口面部に調理補助用プレートがスライド動作自在に設けられると共に、シンクに隣接してワークトップが形成されている流し台であって、上記のシンクとワークトップとの境界で上記のプレートの側端面が接触する上縁部が傾斜状に形成され、この上縁部に接触するプレートの側端面が上縁部と角度及び向きが略同じ状態で傾斜状に形成され、上記のプレートは、スライド動作方向と直交する水平方向の両側に側板部が形成され、この側板部に上記の側端面が形成され、またプレートは、この傾斜状の側端面の接地部と協働してプレートを水平状に保持する脚部を、上記の接地部と反対側の側板部の位置に備え、この脚部と接地部との間のプレートの両側板部の下面が、プレートのスライド動作時にシンクとワークトップとの境界の上縁部を越えてワークトップに至ると、このワークトップに面接触するよう傾斜状に形成されていることを特徴とする調理補助用プレート付き流し台。
【請求項２】
シンクの開口面部に調理補助用プレートがスライド動作自在に設けられると共に、シンクに隣接してワークトップが形成されている流し台であって、上記のシンクとワークトップとの境界で上記のプレートの側端面が接触する上縁部が傾斜状に形成され、この上縁部に接触するプレートの側端面が上縁部と角度及び向きが略同じ状態で傾斜状に形成され、上記のプレートがスライド動作して載るシンクの段差上面の幅が、シンクとワークトップとの境界の上縁部から離された位置で外側に広げられ、この位置にプレートのスライド動作方向と直交する水平方向において形成される縦面が、上記の上縁部と角度及び向きを略同一にして傾斜状に形成され、プレートのスライド動作方向と直交する水平方向の両側に、スライド動作時に上記の縦面に面接触する傾斜面を備えた突出し部が設けられ、この突出し部の下面が、プレートの下端面と面一状に形成されていることを特徴とする調理補助用プレート付き流し台。
【請求項３】
請求項２記載の流し台であって、上記のプレートが、シンクの段差上面から立ち上げられている段差側面に外側面が当接してプレートのぶれを防止するぶれ防止部材を、下面から出没自在に備えて形成されていることを特徴とする調理補助用プレート付き流し台。
【発明の詳細な説明】
【技術分野】
【０００１】
本発明は流し台に関し、更に詳しくは洗い物の水切りや俎板代わりに使用する調理補助用プレートが、シンクの開口面部に、スライド動作自在に設けられている調理補助用プレート付き流し台に関するものである。
【背景技術】
【０００２】
従来この種の流し台としては、例えばシンクに隣接してワークトップが設けられ、シンクとワークトップとにわたって調理補助用プレートがスライド動作自在に設けられているものがある（例えば特許文献１参照）。
【０００３】
従って従来品は、プレートを洗い物の水切り等に利用でき、シンクを広く使用したいときはプレートをワークトップに移動することができる。しかしながら従来品は、ワークトップの前後位置にシンクから連なるスライド動作用の段差が形成され、この段差を利用してプレートをシンクの開口面部からワークトップに移動させる構造であった。
従って従来品によると、上記の段差によってワークトップの有効面積が狭められ、例えば食器等の収納ケースを安定した姿勢で置くことができない等の問題点があった。
また上記の段差の箇所は汚れが付き易いから、従来品によると、ワークトップを度々掃除する必要があった。
而してこの種の流し台が、シンクの開口面部だけでプレートをスライド動作可能に形成されるのでは、シンクの開口面部がプレートで狭まり、使い勝手が悪くなる。またこの場合、プレートを取り外してシンクの開口面部を広く確保するのでは、プレートの置き場所に困り、プレートの着脱操作に煩わしさを伴うものである。
【特許文献１】特開２００１−１５２５０３号公報
【発明の開示】
【発明が解決しようとする課題】
【０００４】
本発明は、このような従来品の問題点に鑑み、提案されたものである。
従って本発明の解決しようとする技術的課題は、調理補助用プレートをシンクの開口面部に設けている流し台において、プレートを不使用のときはプレートの置き場所に困ることなく、シンクの開口面部からプレートを簡単に外すことができ、またプレートを案内するためのスライド動作用の段差をワークトップから一掃し、ワークトップを広く使用できるようにすると共に、ワークトップの掃除を容易化できるよう形成した調理補助用プレート付き流し台を提供することにある。
【課題を解決するための手段】
【０００５】
本発明は、上記の課題を解決するため、次のような技術的手段を採る。
即ち本発明は、図１、図５等に示されるように、シンク１の開口面部に調理補助用プレート２がスライド動作自在に設けられると共に、シンク１に隣接してワークトップ３が形成されている流し台であって、上記のシンク１とワークトップ３との境界で上記のプレート２の側端面２ａが接触する上縁部４が傾斜状に形成され、この上縁部４に接触するプレート２の側端面２ａが上縁部４と角度及び向きが略同じ状態で傾斜状に形成され、上記のプレート２は、スライド動作方向と直交する水平方向の両側に側板部２ｃが形成され、この側板部２ｃに上記の側端面２ａが形成され、またプレート２は、この傾斜状の側端面２ａの接地部６と協働してプレート２を水平状に保持する脚部７を、上記の接地部６と反対側の側板部２ｃの位置に備え、この脚部７と接地部６との間のプレート２の両側板部２ｃの下面が、プレート２のスライド動作時にシンク１とワークトップ３との境界の上縁部４を越えてワークトップ３に至ると、このワークトップ３に面接触するよう傾斜状に形成されていることを特徴とする（請求項１）。
【０００６】
ここで、角度及び向きが略同じ状態とは、プレート２の側端面２ａが上縁部４に面接触してプレート２が案内されるのであれば、完全に同一の状態に形成されている場合には限られない、ということを意味する。本発明の場合、側端面２ａ及び上縁部４の傾斜角度は任意であるが、通常、この角度が穏やかになるほど、プレート２を楽にスライド動作させることができる。なおワークトップ３とは、調理等に使用する天板の箇所を意味する。
【０００７】
また本発明の他の構成としては、図８等に示されるように、シンク１の開口面部に調理補助用プレート２がスライド動作自在に設けられると共に、シンク１に隣接してワークトップ３が形成されている流し台であって、上記のシンク１とワークトップ３との境界で上記のプレート２の側端面２ａが接触する上縁部４が傾斜状に形成され、この上縁部４に接触するプレート２の側端面２ａが上縁部４と角度及び向きが略同じ状態で傾斜状に形成され、上記のプレート２がスライド動作して載るシンク１の段差上面５ａの幅が、シンク１とワークトップ３との境界の上縁部４から離された位置で外側に広げられ、この位置にプレート２のスライド動作方向と直交する水平方向において形成される縦面８が、上記の上縁部４と角度及び向きを略同一にして傾斜状に形成され、プレート２のスライド動作方向と直交する水平方向の両側に、スライド動作時に上記の縦面８に面接触する傾斜面９ａを備えた突出し部９が設けられ、この突出し部９の下面が、プレート２の下端面２ｅと面一状に形成されているものがある（請求項２）。
この本発明の場合は、プレート２を水平状態でワークトップ３に載せることができ、プレート２に調理器具や料理の材料などが載せられている場合でも、この種の載置物をプレート２から転落させることなくプレート２をスライド動作できる。
【０００８】
またこの本発明の場合は、図１１、図１２等に示されるように、上記のプレート２が、シンク１の段差上面５ａから立ち上げられている段差側面５ｂに外側面が当接してプレート２のぶれを防止するぶれ防止部材１０を、下面から出没自在に備えて形成されているのでも良い（請求項３）。
なぜならこれによると、プレート２をスライド動作させるとき、ぶれ防止部材１０の外側面がシンク１の段差側面５ｂに接し、プレート２を整然と安定した状態で移動させることができるからである。
【発明の効果】
【０００９】
本発明は、このようにシンクとワークトップとの境界の上縁部を傾斜状に形成し、この上縁部に接触するプレートの側端面を、上縁部と角度及び向きが略同じ状態で傾斜状に形成しているものである。
従って本発明によれば、プレートを使用しないときはプレートをワークトップの側に押し出してワークトップに配置し、シンクの開口面部からプレートを簡単に外すことができる。
また本発明の場合は、プレートを案内するためのスライド動作用の段差を、ワークトップに設ける必要がない。従ってこれによると、ワークトップの全体を平面状に形成でき、ワークトップを広く使用することができると共に、ワークトップの掃除を容易化できる。
【００１０】
また本発明の場合、プレートは、スライド動作方向と直交する水平方向の両側に側板部が形成され、この側板部に上記の側端面が形成され、またプレートは、この傾斜状の側端面の接地部と協働してプレートを水平状に保持する脚部を、上記の接地部と反対側の側板部の位置に備え、この脚部と接地部との間のプレートの両側板部の下面が、プレートのスライド動作時にシンクとワークトップとの境界の上縁部を越えてワークトップに至ると、このワークトップに面接触するよう傾斜状に形成されている。
従ってこれによると、プレートをスライド動作するとき、ワークトップに安定した状態で円滑に且つ静かに配置できる。
【発明を実施するための最良の形態】
【００１１】
以下、本発明を実施するための最良の形態を説明する。
本発明は、図１等に示されるように、シンク１の開口面部に調理補助用プレート２がスライド動作自在に設けられると共に、シンク１に隣接してワークトップ３が形成されている流し台である。
【００１２】
上記のシンク１とワークトップ３との境界で上記のプレート２の側端面２ａが接触する上縁部４は、傾斜状に形成されている。この上縁部４は、体裁を良くすると共に、プレート２を円滑にワークトップ３に上げ易くなるよう、この実施形態ではプレート２が係合する段差上面５ａ及び段差側面５ｂと一つながり状に連続して形成されている。
【００１３】
また上記のプレート２の側端面２ａは、上縁部４と角度及び向きが、この実施形態では同じ状態で傾斜状に形成されている。また本発明の場合、側端面２ａは、図５に示されるように、プレート２の側板部２ｃの図面上左側の開放端が利用されて形成されている。またプレート２は、同図に示されるように、下面が、傾斜状の側端面２ａの側から、この側端面２ａと反対の側に向かって水を導く傾斜面部２ｂに形成されている。なお２ｄは、水抜き孔である。プレート２は、これにより下面に付着する水がワークトップ３に垂れるのを軽減でき、この種の水を、例えばシンク１に導いて排水できる。またこの場合は、ワークトップ３との間に空間ができるから、ワークトップ３の水切り、水捌けの促進にも役立ち、更には軽くなるため、プレート２を片手で楽に動かすことができるものである。
【００１４】
なお本発明の場合、プレート２の材質は、例えば樹脂材、金属材、セラミックス等自由である。プレート２が、ワークトップ３と同じ材料で形成される場合は、ワークトップ３とのつながり性が生まれ、また視覚的にも調理スペースの拡張効果を得られるものである。
【００１５】
また上記のプレート２は、図５に示されるように、傾斜状の側端面２ａの接地部６と協働してプレート２を水平状に保持する脚部７を、上記の接地部６と反対側の位置に備え、この脚部７と接地部６との間のプレート２の下面が、プレート２のスライド動作時にシンク１とワークトップ３との境界の上縁部４を越えてワークトップ３に至ると、このワークトップ３に面接触するよう傾斜状に形成されている。
【００１６】
この場合、プレート２の下面は、本発明ではスライド動作方向（図５の矢印方向）と直交する水平方向の両側の側板部２ｃの下面に相当する。
【００１７】
而して本発明品は、このように形成されているから、シンク１の開口面部からプレート２を外すときは、図１Ａの矢示の方向に、ユーザーはプレート２を押す。プレート２の側端面２ａは、上記の通り、上縁部４と同じ傾斜状態に形成されているから、プレート２は押されると、上縁部４に導かれて図面上左方向に移動する。そして半ばを過ぎると、図６Ｂに示されるように、下面がワークトップ３に乗り上げ、最終的には図６Ｃに示されるように、ワークトップ３に配置される。
より具体的に説明すると、本発明の場合は、図６に示されるように、プレート２を図面上左方向に移動させると、接地部６が上縁部４に接触して登り、上縁部４を超えると接地部６と共にプレート２の下面がワークトップ３に接して移動する（同図Ｂ参照）。この場合、プレート２の脚部７は、同図Ｂ、Ｃに示されるように、シンク１の段差上面５ａに案内され、上縁部４を超えると、ワークトップ３に配置されるものである。
【００１８】
従ってプレート２がこのように形成される場合は、プレート２の下面が、プレート２のスライド動作時に、常に、上縁部４及びワークトップ３に接して移動する。それ故、プレート２が平板状に形成される場合に比べ、プレート２が上縁部４を超えても接地部６がワークトップ３に急激に落下することがないから（図７の状態参照）、これによると、安定した状態で円滑に且つ静かにワークトップ３にプレート２を配置できる。
【００１９】
以上の処において、本発明の場合、上縁部４は、上例ではシンク１の片側に設けられているが、両側に設けられているのでも良い。
【００２０】
而して上例の場合は、プレート２が傾いてワークトップ３に移動するため、プレート２に物を載せたままワークトップ３に移動させると、載置した物が転落するのを避けられない。そこで本発明品は、この種の問題を解消するため、例えば図８〜図１３に示されるように形成されているのでも良い。
以下、この本発明品の好適な一実施形態を添付図面に従って説明する。上例と同一部材、同一箇所には同一の符号を付し、詳しい説明は省略する。
【００２１】
この本発明品は、上記のプレート２がスライド動作して載るシンク１の段差上面５ａの幅が、シンク１とワークトップ３との境界の上縁部４から離された位置で外側に広げられている。そしてこの位置に、プレート２のスライド動作方向と直交する水平方向において形成される縦面８が、上記の上縁部４と角度及び向きを略同一にして傾斜状に形成されている。またこの本発明品の場合、プレート２は、図８等に示されるように、プレート２のスライド動作方向と直交する水平方向の両側に、スライド動作時に上記の縦面８に面接触する傾斜面９ａを備えた突出し部９が設けられている。従って本発明の場合、突出し部９の傾斜面９ａは、縦面８と同じ角度、同じ向きに形成されている。そしてこの突出し部９の下面は、プレート２の下端面２ｅ（図８、図１３等参照）と面一状に形成されている。
【００２２】
また図１０に示されるように、プレート２の一方側の奥行きＤ１は、上縁部４の奥行きＤ２と同じであり、突出し部９を含めたプレート２の他方側の奥行きＤ３は、縦面８を含むシンク１の片側の奥行きＤ４と同一である。またプレート２の接地部６と突出し部９との間隔Ｄ５は、シンク１側の距離Ｄ６と同一である。なおこの実施形態では、図１３Ａに示されるように、プレート２の高さと段差側面５ｂの高さは、同一に設定されている。
【００２３】
而してこの本発明品の場合は、図１３に示されるように、プレート２を押すと、突出し部９が縦面８に、また側端面２ａが上縁部４に案内され、プレート２が常に水平状態で移動する。従ってこれによると、プレート２に調理器具や料理の材料などが載せられている場合でも、この種の載置物をプレート２から転落させることなく、プレート２をシンク１の開口面部から外してワークトップ３に配置することができる。
【００２４】
またこの本発明品の場合、プレート２は、移動時のブレを防止するぶれ防止部材１０（図１１、図１２等参照）を下面から出没自在に備えて形成されている。このぶれ防止部材１０は、シンク１の段差上面５ａから立ち上げられている段差側面５ｂに外側面が当接してプレート２のぶれを防止するものである。
【００２５】
而して上記のぶれ防止部材１０は、この実施形態ではプレート２のスライド動作方向と直交する水平方向の両側の側板部２ｃの位置に設けられている。１１は、ぶれ防止部材１０を出没動作させるためのコイルバネである。このコイルバネ１１は、下端がぶれ防止部材１０に固定され、プレート２の荷重が加わると圧縮するよう構成されている。この場合、ぶれ防止部材１０の下端は、図１２Ａに示されるように、プレート２が段差上面５ａに載せられると、プレート２の下端面２ｅと面一になるよう、プレート２の収納部１２に設けられている。
【００２６】
而してプレート２がシンク１内で移動すると、シンク１側の上縁部４と縦面８に、プレート２側の側端面２ａと傾斜面９ａが係合し、プレート２が次第に持ち上がる。そしてこれに連れて、ぶれ防止部材１０が、コイルバネ１１の復元力で下方に露出する。その結果プレート２は、シンク１内で移動するとき、ぶれ防止部材１０の外側面が段差側面５ｂに当たり、この段差側面５ｂに案内されてブレることなく安定した状態で移動する。なおこの本発明の場合は、コイルバネ１１の復元力がプレート２を持ち上げるように作用する。従ってこれによると、プレート２を小さな力で軽く楽にスライド動作させることができる、というメリットもある。
【００２７】
なお上例では、ぶれ防止部材１０が円筒状に形成され、周側面が段差側面５ｂに当接する構造であるが、ぶれ防止部材１０の形状は、例えば角筒状等でも良く、その形状は任意である。
また本発明の場合、シンク１の段差上面５ａと上縁部４とは、図１４Ａに示されるように、接続位置の角１３が湾曲され、段差上面５ａが上縁部４の下辺４ａに接続されているのでも、また同図Ｂに示されるように、段差上面５ａの回り込みライン１４が上縁部４に至って、上縁部４の下辺４ａが段差上面５ａより高さｄだけ高くなるよう形成されているのでも良い。
更に本発明の場合、段差上面５ａは、同図Ｃに示されるように、上縁部４の下辺４ａに沿って延ばされ、シンク１の開口面部の周囲に形成されているのでも良い。
【００２８】
また本発明の場合、上縁部４は、通常、シンク１を平面から見たとき縦辺の全長にわたって形成されるが、これに限定されるものではない。即ち、例えば上記の回り込みライン１４が更に深く（上縁部４の上辺よりに）形成され、上縁部４が、例えば縦辺の両サイドだけに形成されているのでも良い。この場合は、プレート２も対応する側端面２ａの位置だけ、傾斜状に形成されることになる。
【図面の簡単な説明】
【００２９】
【図１】本発明の流し台の好適な一実施形態を示し、Ａは要部平面図、Ｂは要部断面図である。
【図２】同上の流し台を示す要部平面図である。
【図３】図２のＩＩＩ−ＩＩＩ線における要部拡大断面図である。
【図４】プレートの平面図である。
【図５】プレートを示す要部断面図である。
【図６】Ａ〜Ｃとも、プレートの作用を説明するための要部断面図である。
【図７】他のプレートの作用を説明するための要部断面図である。
【図８】同上の流し台の他の実施形態を示す要部斜視図である。
【図９】図８に係る本発明品の要部斜視図である。
【図１０】図８に係る本発明品の平面図である。
【図１１】Ａは図８に係る本発明品のプレートを示す平面図、ＢはＡのＢ―Ｂ線断面図である。
【図１２】Ａ、Ｂとも、図８に係る本発明品の作用を説明するための要部断面図である。
【図１３】Ａ〜Ｃとも、図８に係る本発明品の作用を説明するための要部断面図である。
【図１４】Ａ〜Ｃとも、図８に係る本発明品の他の実施形態を示す要部斜視図である。
【符号の説明】
【００３０】
１      シンク
２      プレート
２ａ    側端面
２ｃ 側板部
３      ワークトップ
４      上縁部
６ 接地部
７ 脚部
【図１】
0005239313.tif 000002
【図２】
0005239313.tif 000003
【図３】
0005239313.tif 000004
【図４】
0005239313.tif 000005
【図５】
0005239313.tif 000006
【図６】
0005239313.tif 000007
【図７】
0005239313.tif 000008
【図８】
0005239313.tif 000009
【図９】
0005239313.tif 000010
【図１０】
0005239313.tif 000011
【図１１】
0005239313.tif 000012
【図１２】
0005239313.tif 000013
【図１３】
0005239313.tif 000014
【図１４】
0005239313.tif 000015